(57)【要約】【課題】下駄、サンダル、靴等の履物に使用して、ストレッチしながら歩くことにより、足裏のつぼを刺激する可動つぼ押し機能を備えた履物台を提供する。【解決手段】台面に複数個の押圧棒（２）を嵌挿した足裏型の台板（１）に於いて、押圧棒（２）を保持する台板前部の貫通孔（３）は、台板（１）の裏面に裏打ちした弾性圧縮板（４）を貫通せしめて底板（５）で塞ぎ、押圧棒（２）群の基部となる台板（１）の中心付近に硬質部材からなるゆらぎ用突起（６）を埋め込むとともに、台板（１）の踵部となる後方下面に穿った凹陥部（７）内に、後端を支点軸（８）で支軸し、中心付近に作動突起（９）を台板下方に突出せしめたてこ板（１０）を可動自在に設け、てこ板（１０）の先端作用部には土踏まずつぼに位置する貫通孔（３ａ）に嵌挿する押圧棒（２ａ）の下端を当接せしめた履物台の構成を特徴とした。【選択図】図１
2006000621.tif 000002
【特許請求の範囲】
【請求項１】
台面に複数個の押圧棒（２）を嵌挿した足裏型の台板（１）に於いて、押圧棒（２）を出入自在に保持する台板前部の貫通孔（３）を台板（１）の裏面に裏打ちした厚みのある弾性圧縮板（４）を貫通せしめて底板（５）で塞ぐ構成として、歩行に伴う体重移動の負荷による圧縮変形の弾性圧縮板（４）の伸縮作用により、その変形量に見合う押圧棒（２）の押し出しを繰り返すことを特徴とする可動つぼ押し機能を備えた履物台。
【請求項２】
押圧棒（２）群の基部となる台板（１）の中心付近に硬質部材からなるゆらぎ用突起（６）を埋め込むことにより、歩行時に体重移動に伴う履物先端への重心移動を利用して台板の左右のゆらぎ傾きを容易にし、押圧棒（２）の強弱刺激を体感調整可能にしたことを特徴とする請求項１記載の可動つぼ押し機能を備えた履物台。
【請求項３】
貫通孔（３）を穿設して、それに複数個の押圧棒（２）を嵌挿保持した履物の台板（１）の踵部となる後方下面に穿った凹陥部（７）内に後端を支点軸（８）で支軸し、中心付近に作動突起（９）を台板下方に突出せしめたてこ板（１０）を可動自在に設け、てこ板（１０）の先端作用部には土踏まずつぼに位置する貫通孔（３ａ）に嵌挿する押圧棒（２ａ）の下端を当接せしめた押圧棒（２ａ）を押し上げ、つぼ押し作用を繰り返すことを特徴とする請求項１記載の可動つぼ押し機能を備えた履物台。
【請求項４】
貫通孔（３）を穿設して、それに押圧棒（２）の嵌挿保持した履物の台板（１）の表面を軟質覆板（１１）で被覆して押圧棒（２）の押圧刺激を緩和することを特徴とする請求項１記載の可動つぼ押し機能を備えた履物台。
【請求項５】
台板上の軟質覆板（１１）の表面を清潔な薄膜衛生シート（１２）で着脱自在に被覆してなる請求項１記載の可動つぼ押し機能を備えた履物台。
【請求項６】
足裏型の台板（１）の厚みと形状を変更することにより足甲バックルのサンダル、鼻緒下駄、スリッパ、皮革靴等の履物とすることを特徴とする請求項１に記載の可動つぼ押し機能を備えた履物台。
【請求項７】
足裏型の台板（１）と、
当該台板（１）の重心位置付近の底面側に配置され、前記台板（１）の前後長さ及び左右幅より短い少なくとも一つの硬質部材（１３）と、
前記台板（１）の底面側で前記硬質部材（１３）の周囲に配置される弾性部材（４）と、
前記硬質部材（１３）の左右側付近の前記弾性部材（４）の底面側から前記弾性部材（４）と前記台板（１）を貫通して埋め込まれる少なくとも一つの押圧棒（２）とを備え、
前記台板の（１）の左右方向への傾斜による前記硬質部材（１３）の左右側の前記弾性部材（４）の圧縮に伴い、前記押圧棒（２）が上方向に突き上げられ、前記台板（１）の上面から突出することを特徴とする可動つぼ押し機能を備えた履物台。
【請求項８】
足裏型の台板（１）と、
当該台板（１）の重心位置付近の底面側に配置され、前記台板（１）の前後長さ及び左右幅より短い少なくとも一つの硬質部材（１３）と、
前記台板（１）の底面側で前記硬質部材（１３）の周囲に配置される弾性部材（４）と、
流体を格納し、流体の動きに応じて前記台板（１）の上面から突出可能に前記台板（１）内に設けられる流体格納部と、
前記弾性部材（４）の底面側から少なくとも前記弾性部材（４）を貫通して前記流体格納部の底面に達するように埋め込まれる少なくとも一つの押圧棒（２）とを備え、
前記台板（１）の前後方向又は左右方向への傾斜による前記弾性部材（４）の圧縮により、前記押圧棒（２）が上方向に突き上げられて前記流体格納部が変形し、前記流体格納部の変形に伴う前記流体格納部内での流体の移動に基づいて、前記流体格納部が前記台板（１）の上面から突出することを特徴とする可動つぼ押し機能を備えた履物台。
【請求項９】
前記台板（１）と前記硬質部材（１３）は一体形成されることを特徴とする請求項８記載の可動つぼ押し機能を備えた履物台。
【請求項１０】
前記流体は、空気又はゲル状物質であることを特徴とする請求項８又は９記載の可動つぼ押し機能を備えた履物台。
【請求項１１】
足裏型の台板（１）と、
当該台板（１）の重心位置付近の底面側に配置され、前記台板（１）の前後長さ及び左右幅より短い少なくとも一つの硬質部材（１３）と、
前記台板（１）の底面側で前記硬質部材（１３）の周囲に配置される弾性部材（４）と、
前記硬質部材（１３）の前方付近又は左右側付近の前記弾性部材（４）の底面側から前記弾性部材（４）と前記台板（１）を貫通して埋め込まれ、且つ流体を格納し、流体の動きに応じて前記台板（１）の上面から突出可能な少なくとも一つの流体格納部（１４）と、
前記台板の（１）の左右方向への傾斜による前記硬質部材（１３）の左右側の前記弾性部材（４）の圧縮に伴い、前記流体格納部（１４）が上方向に突き上げられ、前記台板（１）の上面から突出することを特徴とする可動つぼ押し機能を備えた履物台。
【発明の詳細な説明】
【技術分野】
【０００１】
本発明は、下駄、サンダル、靴等の履物に使用して、ストレッチしながら歩くことにより、足裏のつぼを刺激する可動つぼ押し機能を備えた履物台に関する。
【背景技術】
【０００２】
ストレッチしながら歩くことにより、足裏のつぼを刺激するつぼ押し機能を備えた履物は、従来提案されているものがある（例えば特許文献１）
特許文献１は、てこ板を利用して歩行に伴い押圧突起を押し上げるものであるが、支点からの作用点となる押圧突起は、動作点となるてこ板下端との間にあり、ストロークが短く刺激力が弱く自己調節はできない。支点軸にバネの付勢を必要とする（図１）。
【特許文献１】特開２００４−３８９号公報
【発明の開示】
【発明が解決しようとする課題】
【０００３】
特許文献１のものは、足裏つぼの刺激の強さを弱めることがない効果はあっても、体重負荷のかけ具合による刺激力の自己調節はできない。
【課題を解決するための手段】
【０００４】
本発明は、歩行に伴う体重負荷のかけ具合によって、足裏つぼの刺激の強さを自己調節できるものであって、押圧棒（２）を保持する台板前部の貫通孔（３）は、台板（１）の裏面に裏打ちした弾性圧縮板（４）を貫通せしめて底板（５）で塞ぎ、押圧棒（２）群の基部となる台板（１）の踵部となる後方下面に穿った凹陥部（７）内に、後端を支点軸（８）で支軸し、中心付近に作動突起（９）を台板下方に突出せしめたてこ板（１０）を可動自在に設け、てこ板（１０）の先端作用部には土踏まずつぼに位置する貫通孔（３ａ）に嵌挿する押圧棒（２ａ）の下端を当接せしめた構成を特徴としたものである。
【０００５】
また、貫通孔（３）を穿設して、それに押圧棒（２）を嵌挿保持した履物の台板（１）の表面を、各押圧棒（２）の表面も含めて軟質覆板（１１）で被覆して押圧棒（２）の押圧刺激を緩和する。
【０００６】
さらに、台板（１）の表面を清潔な薄膜衛生シート（１２）でマジックテープ（登録商標）等で着脱自在に被覆する。
【０００７】
この足裏型の台板（１）は、厚みと形状を変えることにより足甲バックルのサンダル、鼻緒下駄、スリッパ、皮革靴等の履物として使用するものである。
【発明の効果】
【０００８】
本発明では、押圧棒（２）は、弾性圧縮板（４）で保持してあるので、歩行に伴う弾性圧縮板（４）の縮小量が、押圧棒（２）を突出量となってつぼの刺激を繰り返すことになるが、弾性圧縮板（４）の伸縮は、歩行に伴う体重負荷の移動により自分の好みで強弱を調整できるから、つぼの刺激を体調に合わせた体感とすることができる効果がある。
【０００９】
また、ゆらぎ用突起（６）は、台板の前部でゆらぎの支点となり、歩行時の体重移動に伴う台板の左右のゆらぎ傾きを容易にするので、各押圧棒（２）の夫々の突出量が、時差的に変化を繰り返し、各押圧棒（２）の強弱刺激を体感的に自己認識することができ、スポーツ用履物としての効用もある。
【００１０】
また、土踏まずに位置する押圧棒（２）は、てこ板（１０）の作動突起（９）を中央に位置せしめた先端作用部に当接せしめたので、押圧棒（２）の突出量が大きく、つぼの刺激を強くすることができる効果がある。
【００１１】
軟質覆板（１１）は、押圧棒（２）の突刺端の突刺圧を和らげる効果があり、さらに、表面の薄膜衛生シート（１２）は、足裏の肌と軟質覆板を常に清潔に保つ効果がある。
【発明を実施するための最良の形態】
【００１２】
（本発明の第一の実施の形態）
図１は、本発明の第一の実施の形態における履物台の側断面図であり、図２は、本発明の第一の実施の形態における履物台の底面図である。図１及び図２において、押圧棒（２）を保持する台板前部の貫通孔（３）は、台板（１）の裏面に裏打ちした例えば発泡ゴム等の弾性圧縮板（４）を貫通せしめてある。従って、歩行に伴い前方に重心移動する体重により台板（１）に荷重がかかると、設置する底板（５）の反力により、弾性圧縮板（４）が圧縮縮小し、その変形量に応じて保持している押圧棒（２）を突出せしめて足裏のつぼを刺激する。このように、体重負荷のかけ具合により押圧棒（２）の突出量を自己調節できることとなり、歩行に伴う体重移動によるつぼの刺激を自分の体調に応じて強弱調整することができる。
【００１３】
図４は、本発明の第一の実施の形態における履物台の作用時の要部断面図であって、前方に重心移動した時に押圧棒（２）が突出している状態を示す図である。
【００１４】
押圧棒（２）は、弾性圧縮板（４）で保持してあるので、歩行に伴う弾性圧縮板（４）の伸縮が、押圧棒（２）を出入させてつぼの刺激を繰り返すので、従来のバネのみで押圧棒（２）を出入させるのに比べて、強弱調整できる以外に、つぼの刺激を体調に合わせた体感とすることができることとなる。なお、底板（５）は、硬質ゴムからなるものとし、突起を付すか溝を付すことにより、滑り止めともなる。
【００１５】
ゆらぎ用突起（６）は、硬質部材からなり、歩行時に体重移動に伴う前方への重心移動により、台板の前部で親指側或いは小指側へのゆらぎの支点となり、四方へのゆらぎ傾きを容易にするので、押圧棒（２）の強弱刺激を体感的に自己認識することができ、スポーツ用履物として効用がある。
【００１６】
図３は、本発明の第一の実施の形態における履物台の作用時の要部断面図であって、歩行に伴う重心移動時における足裏後方側の押圧棒（２ａ）が突出している状態を示す図である。
【００１７】
てこ板（１０）の後端が支点軸（８）として支軸され、てこ板（１０）の力点となる作動突起（９）が中央付近に位置せしめ、さらに、土踏まず付近に位置する押圧棒（２ａ）は、先端作用部（作用点）に当接せしめたので、歩行に伴う重心移動により作動する作動突起（９）の押し上げ作用による押圧棒（２ａ）の突出量が大きく、支点と力点の間に作用点を位置せしめる従来のてこ板に比べて、つぼの刺激を強くすることができる。
【００１８】
軟質覆板（１１）は、クッション作用もあり、押圧棒（２）の突刺端の突刺圧を和らげる効果があり、従って、押圧棒（２）の形状を単純化できる。さらに、軟質覆板（１１）の表面に被覆する薄膜衛生シート（１２）は、着脱可能の不織布等の衛生シートで軟質覆板に足裏の肌が直接触れるのを防ぎ、汚損したら衛生シートを適宜新品と交換して繰り返し使用することにより、足裏の肌と軟質覆板を常に清潔に保つことができる。
【００１９】
本願発明の履物台は、台板（１）と弾性圧縮板（４）の厚さと形状を用途に応じて適宜変更し、諸種の機能を付加することにより、足甲バックルを有するサンダル、鼻緒を有する下駄、つまかわ付きスリッパ、運動靴、革靴等種々の履物に対応することができる。
【００２０】
（本発明の第二の実施の形態）
以下、本発明の第二の実施の形態について説明する。図５は、本発明の第二の実施の形態における履物台の側断面図（図５（ａ））と底面図（図５（ｂ））である。図５では、上記第一の実施の形態における構成において、硬質部材からなるゆらぎ用突起（６）に加えて、その後方にさらに別のゆらぎ用硬質部材（１３）が台板（１）の底面側に設けられる。硬質部材（１３）は、突起形状であってもよいし、幅（左右）方向に長い矩形形状であってもよい。硬質部材（１３）は、その重心位置が履物台の重心位置と一致するように、台板（１）の重心位置付近に設けられ、好ましくは、直立状態で安定するように複数箇所に設けられる。図５では、履物台の中心付近と後方付近の２カ所に硬質部材（１３）が設けられ、２つの硬質部材（１３）の間に履物台の重心位置があると考えられるが、重心位置に直接一定の幅及び長さを有する安定性の高い硬質部材（１３）を設けるようにしてもよい。また、硬質部材（１３）は、ゆらぎ用突起（６）と一体的に構成されてもよい。すなわち、原理的に、ゆらぎ用突起（６）と硬質部材（１３）は前後の傾斜に加えて、左右の傾斜に対しても押圧棒を突出させるという同一の機能を有するものであるので、ゆらぎ用突起（６）を硬質部材（１３）の一部分として組み込むようにしてもよい。
硬質部材（１３）の左右方向の幅は、履物台の幅よりも短く、硬質部材（１３）の外側周囲は、圧縮変形する弾性部材（４）で囲まれる。硬質部材（１３）の左右両側の弾性部材（４）には貫通孔（３）が設けられ、そこには押圧棒（２）が埋め込まれる。これにより、押圧棒（２）を履物台の全周囲にわたって配置することができ、歩行時の前後の重心移動の場合に加えて、左右に傾斜した場合も押圧棒（２）が突出し、前後左右あらゆる方向への重心移動を常に認識することができるようになり、また、履物台の刺激領域を大幅に増やすことができる。
【００２１】
図６は、本発明の第二の実施の形態における履物台の横断面図であり、図６（ａ）は、履物台が左右に傾いていない状態を示し、図６（ｂ）は、履物台が左右一方に傾き、弾性部材（４）が硬質部材（１３）に対して圧縮することで、硬質部材（１３）の側方にある押圧棒（２）が突出している状態を示す。
【００２２】
（本発明の第三の実施の実施の形態）
本発明の第三の実施の形態について説明する。図７は、本発明の第三の実施の形態における履物台の上面図（図７（ａ））及び側断面図（図７（ｂ）、（ｃ））である。第三の実施の形態では、履物台内部に空気やゲル状物質などの流体を閉じこめた流体格納部（１４）を設け、押圧棒（２）が当該流体格納部（１４）の底部を突き上げることで、流体格納部（１４）を圧縮変形させ、その変形分が履物台の上面から突出するように構成することで、足裏を刺激する。流体が足裏を刺激するので、硬質の押圧棒（２）が直接足裏を刺激するのに比べて、よりソフトで心地よい刺激を足裏に与えることができる。また、流体格納部（１４）の変形速度に応じて、刺激の伝搬速度を調節可能である。具体的には、刺激が徐々に足裏に伝わるように刺激の度合いを緩やかに変化させ、持続するようにすることで、より心地よい刺激を与えることができる。さらに、流体格納部（１４）の突出断面積を最適に調節し、刺激の度合いを制御することができる。例えば、押圧棒（２）の断面積より広めにすることで、押圧棒（２）が直接足裏を刺激する場合と比べて、その刺激を分散させることができる。
【００２３】
なお、図７に示す履物台では、台板（１）と硬質部材（１３）は一体的に形成され、すなわち、硬質部材（１３）は台板（１）を含む構造となっている。もちろん、上記第二の実施の形態のように、台板（１）と硬質部材（１３）とが別々に構成され、硬質部材（１３）が台板（１）に取り付けられる構成であってもよい。
【００２４】
押圧棒（２）は、履物台の底面側で硬質部材（１３）の前後左右の周囲に配置された弾性部材（４）を貫通するように埋め込まれる。そして、押圧棒（２）の上部付近に流体を閉じこめた流体格納部（１４）が設けられ、弾性部材（４）を貫通している押圧棒（２）は、流体格納部（１４）の底面に達している。
【００２５】
図７（ｂ）、（ｃ）は、図７（ａ）のＡ−Ａ断面を示す図であり、図７（ｂ）は、流体格納部（１４）が押圧棒（２）により突き上げられていない静止状態（水平状態）を示し、図７（ｃ）は、前方への重心移動により、硬質部材（１３）を支点として、弾性部材（４）が圧縮されて、押圧棒（２）が流体格納部（１４）を突き上げ、それにより、流体格納部（１４）に閉じこめられた流体が履物台の上面から突出している状態を示す。
【００２６】
また、図８は、本発明の第三の実施の形態における履物台の横断面図であり、図７（ａ）のＢ−Ｂ断面を示す図である。図８（ａ）は、履物台が水平な状態を示し、図８（ｂ）は、履物台が左右方向に傾いている状態を示す図である。図８（ｂ）に示されるように、履物台が左右方向に傾斜すると、図７（ｂ）の場合と同様に、硬質部材（１３）を支点として、弾性部材（４）が圧縮され、押圧棒（２）が流体格納部（１４）を突き上げ、それにより、流体格納部（１４）に閉じこめられた流体が履物台の上面から突出する。
【００２７】
図９は、流体が閉じこめられた流体格納部の構成例を示す図である。流体格納部（１４）はＶ領域及びＷ領域の２つの領域を有し、それぞれ蛇腹形状となっている。静止状態（図９（ａ））から、重心移動により、押圧棒（２）がＷ領域の底部を突き上げると、Ｗ領域は図９（ｂ）に示すように圧縮され、Ｗ領域内の流体は、Ｖ領域に移動する。Ｗ領域の底面は例えば硬質板で形成され、その一部を押圧棒（２）が突き上げることにより、底面全体が上に移動する。また、Ｗ領域の上面の位置は固定されており、底面の上方向への移動により、Ｗ領域内の流体の移動方向は、Ｗ領域と接続しているＶ領域となる。
【００２８】
Ｖ領域は、上方向に膨張可能に履物台に配置される。従って、Ｗ領域から移動してくる流体の体積分だけ、Ｗ領域は上方向に膨張し、その膨張分は、履物台の上面から突出することとなる。なお、Ｖ領域に流体が移動していない状態（Ｗ領域が押圧棒（２）で突き上げられていない状態）では、Ｖ領域の上面は、履物の上面とほぼ同一高さにある。
【００２９】
流体格納部（１４）の素材は、圧縮と膨張に耐えられる強度を有する素材であれば、その種類を問わない。また、流体格納部（１４）の構造は、蛇腹形状に限られず、伸縮自在の構造であればよい。また、Ｗ領域とＶ領域は隣接している必要はなく、例えば、それぞれを流体が移動可能なチューブでつなぎ、離れて配置されてもかまわない。
【００３０】
図１０は、履物台の底面における硬質部材と弾性部材の分布を説明する図である。上記第二の実施の形態でも説明したように、履物台の前後左右の傾斜に対して足裏を刺激可能とするために、履物台の重心位置付近（履物台の中央部分付近）の領域Ｙに硬質部材（１３）を配置し、その周囲の領域Ｘを弾性部材（４）で囲む。弾性部材（４）に押圧棒（２）が埋め込まれる。直立静止状態では、足裏の加重のほとんどは重心位置付近に集中し、領域Ｙがその加重を受ける。そして、歩行や運動動作に応じた足裏の加重変化（重心移動）に応じて、Ｘ領域への加重が増減する。Ｘ領域及びＹ領域の分布は、図示される場合に限られず、履物の用途などに応じて、最適な分布形状が与えられる。
【００３１】
また、さらなる別の実施の形態として、流体格納部１４が弾性部材１４を貫通し、重心移動による弾性部材１４の圧縮に伴い、流体格納部１４が上方向に押し上げられ、台板（１）の上面から突出するように構成してもよい。当該構成は、流体格納部（１４）を上記第一の実施の形態又は第二の実施の形態における押圧棒（２）のように構成し、機能させることである。すなわち、上記第一の実施の形態又は第二の実施の形態における押圧棒（２）を同様の機能を有する流体格納部（１４）に代替することで実現される。
【図面の簡単な説明】
【００３２】
【図１】本発明の第一の実施の形態における履物台の側断面図である。
【図２】本発明の第一の実施の形態における履物台の底面図である。
【図３】本発明の第一の実施の形態における作用時の要部側断面図である。
【図４】本発明の第一の実施の形態における作用時の要部側断面図である。
【図５】本発明の第二の実施の形態における履物台の側断面図及び底面図である。
【図６】本発明の第二の実施の形態における履物台の横断面図である。
【図７】本発明の第三の実施の形態における履物台の上面図及び側断面図である。
【図８】本発明の第三の実施の形態における履物台の横断面図である。
【図９】流体が閉じこめられた流体格納部の構成例を示す図である。
【図１０】履物台の底面における硬質部材と弾性部材の分布を説明する図である。
【符号の説明】
【００３３】
１：台板、２：押圧棒、３：貫通孔、４：弾性圧縮板（弾性部材）、５：底板、６：ゆらぎ用突起、７：凹陥部、８：支点軸、９：作動突起、１０：てこ板、１１：軟質覆板、１２：薄膜衛生シート、１３：硬質部材、１４：流体格納部、２ａ：押圧棒、３ａ：貫通孔
【図１】
2006000621.tif 000003
【図２】
2006000621.tif 000004
【図３】
2006000621.tif 000005
【図４】
2006000621.tif 000006
【図５】
2006000621.tif 000007
【図６】
2006000621.tif 000008
【図７】
2006000621.tif 000009
【図８】
2006000621.tif 000010
【図９】
2006000621.tif 000011
【図１０】
2006000621.tif 000012